(57)【特許請求の範囲】
【請求項１】
間接活線用把持工具の一対の把持部が取り付け可能な一対の取付部と、
前記一対の取付部のそれぞれの先端部に設けられ、該取付部と一体をなして動く棒状に形成された一対の棒状部と、
前記一対の棒状部の両端部に取り付けられ、一方の棒状部に対して基端部が回動可能に取り付けられた第１の挟持片と、他方の棒状部に対して基端部が回動可能に取り付けられた第２の挟持片とを互いの中間部で回動可能に連結して構成された一対の挟持部と、
を具備することを特徴とする間接活線用先端工具。
【請求項２】
前記第１の挟持片は、二股に分かれて間に間隙が形成されると共に先端部に電線を受ける挟持形成部が形成され、前記第２の挟持片は、前記第１の挟持片の間隙に挿入されて先端部に電線を受ける挟持形成部が形成され、前記第１の挟持片と前記第２の挟持片とは、互いの挟持形成部を向かい合わせ、これら挟持形成部よりも基端側で回動可能に連結されていることを特徴とする請求項１記載の間接活線用先端工具。
【請求項３】
前記第１の挟持片と前記第２の挟持片のそれぞれの挟持形成部は、挟持片の先端部を屈曲または湾曲させて構成されていることを特徴とする請求項２に記載の間接活線用先端工具。
【請求項４】
前記第１の挟持片の挟持形成部と前記第２の挟持片の挟持形成部は、電線と当接する面にローレット加工が施されていることを特徴とする請求項２又は３記載の間接活線用先端工具。
【発明の詳細な説明】
【技術分野】
【０００１】
本発明は、間接活線用工具の先端に取り付ける間接活線用先端工具に関する。
【背景技術】
【０００２】
従来、高圧引下線の電線の接続作業は、少なくとも２名の作業者によって行われる。具体的には、（ｉ）先ず、一方の電線の被覆を剥いで露出した芯線を接続スリーブの一端に挿入して、その挿入部分を圧縮ペンチ等で圧縮して固定しておく。（ｉｉ）その後、他方の電線と、接続スリーブが取り付けられた一方の電線をそれぞれ絶縁ヤットコで把持して近接させ、他方の電線の端部の被覆を剥ぎ取って露出した芯線を接続スリーブの他端に挿入し、その状態を一人の作業者が保持する。（ｉｉｉ）そして、他の作業者が、他方の電線の芯線挿入した接続スリーブの他端近傍を圧縮ペンチで圧縮する。
【０００３】
ここで、上述した絶縁ヤットコは、下記する特許文献１に示されるように、たとえば、所要の長さを有する絶縁棒（主軸）と接離可能な一対のアームで構成される把持部とで構成されており、このような間接活線工具を用いることで、直接電線に触れることなく電線との離隔距離を充分に保ちつつ上記作業を行うことを可能としている（特許文献１参照）。
【先行技術文献】
【特許文献】
【０００４】
【特許文献１】特開２０００−１０２１２５号公報
【発明の概要】
【発明が解決しようとする課題】
【０００５】
しかしながら、上述の従来の作業では、作業者が一人で２本の絶縁ヤットコを持たなければならないため、作業者の腕に掛かる負担は大きく、左右の絶縁ヤットコのバランスが崩れると、接続スリーブから電線が抜けるおそれがある。
【０００６】
また、左右の絶縁ヤットコのバランスが崩れると、接続スリーブ内の電線が動くため圧縮不良となる場合がある。圧縮不良が生じた場合には、その部分を取り除いて再度電線の被覆を剥ぎ取り、スリーブ接続する必要があり、高圧引下線が短くなって接続に必要な長さを確保することができなくなると、高圧引下線の張替を伴う作業を行わなければならず、停電時間が長くなる不都合がある。
【０００７】
また、接続スリーブから電線が抜け電源側電線が他のものに接触すると、地絡、短絡事故となり、停電が発生する不都合が懸念される。
特に、強風時には作業者の絶縁ヤットコを保持する負担が大きくなり、左右の絶縁ヤットコのバランスが崩れることに起因する上記の問題が生じやすくなる。
【０００８】
また、電柱上での作業時は、作業スペースが限られているため、左右の手に１本ずつ絶縁ヤットコを持ちながら、接続スリーブから電線が抜けないように他の作業者が圧縮しやすい方向に圧縮位置を変えることは難しく、圧縮作業が難航し作業が長時間に及ぶ不都合もがある。
【０００９】
本発明は係る事情に鑑みてなされたものであり、一人の作業者がで２本の絶縁ヤットコを持たずに、電線の接続作業を行うことが可能な間接活線用先端工具を提供することを主たる課題としている。
【課題を解決するための手段】
【００１０】
上記課題を達成するために、本発明に係る間接活線用先端工具は、間接活線用把持工具の一対の把持部が取り付け可能な一対の取付部と、前記一対の取付部のそれぞれの先端部に設けられ、該取付部と一体をなして動く棒状に形成された一対の棒状部と、前記一対の棒状部の両端部に取り付けられ、一方の棒状部に対して基端部が回動可能に取り付けられた第１の挟持片と、他方の棒状部に対して基端部が回動可能に取り付けられた第２の挟持片とを互いの中間部で回動可能に連結して構成された一対の挟持部と、を具備することを特徴としている。
したがって、作業者は、絶縁ヤットコを取付部に装着して開閉操作を行うことで、一対の挟持部が連動して開閉し、この一対の挟持部で接続するそれぞれの電線を挟持することが可能となり、作業者が一人で２本の絶縁ヤットコを持たずに電線を挟持することが可能となる。
【００１１】
また、第１の挟持片は、二股に分かれて間に間隙が形成されると共に先端部に電線を受ける挟持形成部が形成され、第２の挟持片は、前記第１の挟持片の間隙に挿入されて先端部に電線を受ける挟持形成部が形成され、前記第１の挟持片と前記第２の挟持片とは、互いの挟持形成部を向かい合わせ、これら挟持形成部よりも基端側で回動可能に連結されているようにしてもよい。
このように、両挟持片を連結することにより、電線をより安定的に挟持することが可能となる。
【００１２】
第１の挟持片と第２の挟持片のそれぞれの挟持形成部は、挟持片の先端部を屈曲または湾曲させて構成されているようにしてもよい。
このように、挟持形成部を構成することで、より確実に電線を挟持することが可能となる。
【００１３】
第１の挟持片の挟持形成部と第２の挟持片の挟持形成部は、電線と当接する面にローレット加工が施されているようにしてもよい。
両挟持形成部の電線と当接する面にローレット加工が施されることにより、電線を挟持したときに滑り止めとしての役割を果たすことが可能となる。
【発明の効果】
【００１４】
以上述べたように、本発明に係る間接活線用先端工具によれば、一本の間接活線用工具で接続する２つの電線を同時に把持することができるため、作業者は、１人で２本の間接活線用把持工具を持たずに２本の電線を把持することが可能となり、作業者の労力を大幅に軽減することが可能となる。また、接続対象の２つの電線の位置のバランス（左右のバランス）をとることが不要となり、容易に接続作業を行うことができ、接続スリーブから電線が抜けることを防止することができるため、作業の安全性を確保することができる。
このように、２つの間接活線用把持工具を用いずに作業をすることが可能となるため、作業者の肉体的負担が軽減されることに加え、熟練の作業者でなくても作業が可能となり、作業効率を向上させることが可能となる。
また、他の作業者が圧縮しやすい方向に圧縮位置を変えることが容易にできるため、圧縮作業の作業時間の短縮、すなわち、停電時間を短縮することが可能となる。
【図面の簡単な説明】
【００１５】
【図１】図１は、本発明の間接活線用先端工具の全体を示す斜視図である。
【図２】図２は、本発明の間接活線用先端工具を用いて電線を把持する場合を示した斜視図である。
【図３】図３は、先端固定手段の拡大断面図である。
【図４】図４は、絶縁ヤットコの斜視図である。
【図５】図５は、本発明の間接活線用先端工具を用いて電線を接続する概要を示す概念図である。
【発明を実施するための形態】
【００１６】
以下、本発明に係る間接活線用先端工具について図面を参照しながら説明する。
図１及び２において、間接活線用先端工具１は、間接活線用把持工具２（以下、絶縁ヤットコ）の先端部の把持片２１ａ，２１ｂに取り付け可能な一対の取付部３ａ，３ｂと、一対の取付部３ａ，３ｂのそれぞれの先端部に設けられ、該取付部３ａ，３ｂと一体をなして動く棒状に形成された一対の棒状部５ａ，５ｂと、一対の棒状部５ａ，５ｂの両端部に取り付けられ、接続する電線４ａ，４ｂを挟持する一対の挟持部６ａ，６ｂと、を有して構成されている。
【００１７】
取付部３ａ，３ｂは、棒状部５ａ，５ｂの略中心から下方に向かって形成されたもので、間接活線工具の先端部を挿入可能に構成された先端挿入部３１ａ，３１ｂと、先端挿入部３１ａ，３１ｂに挿入された絶縁ヤットコ２の先端部の把持片２１ａ，２１ｂを固定する先端固定手段３２ａ，３２ｂとを備えている。
【００１８】
先端挿入部３１ａ，３１ｂは、絶縁ヤットコ２の先端部の把持片２１ａ，２１ｂを挿入可能に構成された挿入空間３４を有し、挿入空間３４内に先端固定手段３２ａ，３２ｂの一部が出退可能に構成されている。
【００１９】
先端固定手段３２ａ，３２ｂは、図３及び４に示すように、絶縁ヤットコ２の先端部の把持片２１ａ，２１ｂに形成された凹部２３と係合する係合部３３を備え、係合部３３が先端挿入部３１ａ，３１ｂの挿入空間３４内に出退可能に構成されている。
【００２０】
具体的には、先端固定手段３２ａ，３２ｂの基部には、その上面に中空のボス３５が溶接によって固定されており、このボス３５には係合部３３がスライド自在に支持されている。
ボス３５の頭部には挿通孔３６が形成され、この挿通孔３６の真下に位置する基部にも挿通孔３６が形成されている。
係合部３３は、ボス３５の内部において外周面から外方に向かって突出するストッパ３７を備えている。そして、ボス３５の頭部内面とストッパ３７との間には、コイルスプリング３８が状態で配置されている。
【００２１】
したがって、係合部３３は、コイルスプリング３８の伸び力によって、ボス３５の頭部に頭頂部３３ａが当接するまで、基部の挿入空間３４へ突出する方向に付勢されている。
そして、頭頂部３３ａを摘んで引っ張ることで、係合部３３の先端を凹部２３から退避させることができる。
【００２２】
棒状部５ａ，５ｂは、取付部３ａ，３ｂの先端を中心として電線４ａ，４ｂの配線方向に略直方体状に形成されたもので、一端側（電線４ａ側の端部）に一方の挟持部６ａが設けられ、他端側（電線４ｂ側の端部）に他方の挟持部６ｂが設けられている。
【００２３】
また、棒状部５ａ，５ｂの全長は、一対の挟持部６ａ，６ｂが接続するそれぞれの電線４ａ，４ｂの被覆４１ａ，４１ｂが覆われている部分を挟持可能に形成されている。すなわち、棒状部５ａ，５ｂは、両電線４ａ，４ｂの被覆が剥された部分４２ａ，４２ｂよりも長く形成され、たとえば、接続スリーブ７の長さが５ｃｍ程度のものを用いた場合には、棒状部５ａ，５ｂの全長は１０ｃｍ（接続スリーブ７の長さの２倍）以上にするとよい。
【００２４】
挟持部６ａ，６ｂは、一方の棒状部５ａに対して基端部が回動可能に取り付けられた（絶縁ヤットコ２の固定側把持片２１ａ側に取り付けられた）第１の挟持片６１ａと、他方の棒状部５ｂに対して基端部が回動可能に取り付けられた（絶縁ヤットコ２の可動側把持片２１ｂ側に取り付けられた）第２の挟持片６１ｂとを互いの中間部で回動可能に連結して構成されている。
【００２５】
具体的には、第１の挟持片６１ａと第２の挟持片６１ｂとは、互いの挟持片６１ａ，６１ｂの先端に形成された後述する挟持形成部６２ａ、６２ｂを向かい合わせ、これらの挟持形成部６２ａ，６２ｂよりも基端側で回動可能に連結されている。
【００２６】
第１の挟持片６１ａの先端には、二股に分かれて間に間隙６３が形成されると共に、挟持方向の内側に屈曲して形成された固定側挟持形成部６２ａが設けられている。
【００２７】
第２の挟持片６１ｂの先端は、一本の円弧状に湾曲して形成された可動側挟持形成部６２ｂが設けられており、その幅Ｈは、間隙６３の幅Ｍよりも狭く形成されている。
【００２８】
なお、両挟持形成部６２ａ，６２ｂは、その電線４ａ，４ｂと当接する面には、電線４ａ，４ｂを挟持したときに滑り止めとしての役割を果たす凹凸６２ｃ，６２ｄが形成され（ローレット加工が施され）ている。
【００２９】
また、第２の挟持片６１ｂは、第１の挟持片６１ａの間隙６３に挿通され、両挟持片６１ａ，６１ｂが交差する位置を軸とし、可動側挟持形成部６２ｂが回動して互いの挟持片６１ａ，６１ｂが離接可能に固定されている。
【００３０】
両挟持片６１ａ，６１ｂは、両挟持形成部６２ａ，６２ｂの基端と棒状部５ａ，５ｂの上面との間Ｌが、両挟持形成部の全長Ｓと略同等かそれ以上に長く形成されている。したがって、電線４ａ，４ｂと棒状部５ａ，５ｂの上面との間に、圧縮工具を挿通可能な作業空間Ｋが形成される。
【００３１】
ここで、上記の例のように、棒状部５ａ，５ｂの全長を１０ｃｍ程度にしたときに、両挟持形成部６２ａ，６２ｂの基端から棒状部５ａ，５ｂの上面との間の長さＬは、１５ｃｍ（棒状部５ａ，５ｂの全長の１．５倍）程度にするとよい。
【００３２】
以上で説明した絶縁ヤットコ２を用いて、接続する電線４ａ，４ｂを接続する方法について説明する。
まず、図中（１）に示すように、接続する負荷側の電線４ｂの芯線を接続スリーブ７に挿入し、圧縮ペンチで圧縮する。次いで、図中（２）に示すように、電源側の電線４ａの芯線と、接続スリーブ７が取り付けられた電線４ｂを絶縁ヤットコ２で把持して近接させ、電線４ａを接続スリーブ７の他方に挿入する。
【００３３】
そして、図中（３）に示すように、この接続スリーブ７に電線４ａが挿入された状態を維持しつつ、絶縁ヤットコ２の先端部の把持片２１ａ，２１ｂに間接活線用先端工具１を取り付け、両電線４ａ，４ｂの被覆４１ａ，４１ｂの部分を挟持が可能な位置に挟持部６ａ，６ｂの位置を合わせ、絶縁ヤットコ２を閉じる（先端が近接する）ように操作部２２を操作して電線４ａ，４ｂを挟持する。
さらに、図中（５）に示すように、他の作業者が電線４ａを圧縮ペンチ８で圧縮して、両電線４ａ，４ｂを接続する。
【００３４】
なお、本実施例においては、第１の挟持片６１ａの固定側挟持形成部６２ａの形状を二股状とし、第２の挟持片６１ｂの可動側挟持形成部６２ｂの形状を一本の円弧状として実施したが、これには限定されず、たとえば、両挟持形成部６２ａ，６２ｂを一本の円弧状に形成して実施してもよい。
【００３５】
以上述べたように、本発明に係る間接活線用先端工具１によれば、一本の絶縁ヤットコ２で接続する２つの電線４ａ，４ｂを同時に把持することができるため、接続対象の２つの電線４ａ，４ｂの位置のバランス（左右のバランス）をとることが不要となり、容易に接続作業を行うことができる。したがって、接続スリーブ７から電線４ａ，４ｂが抜けることを防止することができるため、作業の安全性を確保することができる。
【００３６】
このように、２つの絶縁ヤットコ２を用いずに作業をすることが可能となるため、作業者の肉体的負担が軽減されることに加え、熟練の作業者でなくても作業が可能となり、作業効率を向上させることが可能となる。
また、他の作業者が圧縮しやすい方向に圧縮位置を変えることが容易にできるため、圧縮作業の作業時間の短縮、すなわち、停電時間を短縮することが可能となる。
【符号の説明】
【００３７】
１  間接活線用先端工具
２  間接活線用把持工具
３ａ，３ｂ  取付部
４ａ  電線（負荷側）
４ｂ  電線（電源側）
５ａ，５ｂ  棒状部
６ａ，６ｂ  挟持部
６１ａ，６１ｂ  挟持片
６２ａ，６２ｂ  挟持形成部
【図１】
0005908525.tif 000002
【図２】
0005908525.tif 000003
【図３】
0005908525.tif 000004
【図４】
0005908525.tif 000005
【図５】
0005908525.tif 000006